(57)【特許請求の範囲】
【請求項１】
長さ方向，幅方向，肌当接面およびショーツ当接面を有し、前記ショーツ当接面の側に粘着層を備える生理用ナプキン本体と、前記粘着層を覆う保護シートと、それらを包装する外装材とが一体に折り畳まれて構成された生理用ナプキンの個包装体において、
前記粘着層が、前記長さ方向の前側に位置する前方粘着層と、前記前方粘着層とは離間して前記長さ方向の後側に位置する後方粘着層とを含み、
前記保護シートが、前記前方粘着層を覆う前方保護シートと、これとは別体であって前記後方粘着層を覆う後方保護シートとを含み、
前記前方保護シートが前記外装材に固着している一方、前記後方保護シートは前記外装材に固着していないことを特徴とする前記個包装体。
【請求項２】
前記後方保護シートは、前記本体の後端から延出する請求項１記載の個包装体。
【請求項３】
前記後方保護シートが、二つに折られたシートであり、稜角を前記長手方向の前方に向けた状態で前記後方粘着層に当接している請求項１または２記載の個包装体。
【請求項４】
二つ折りの前記後方保護シートが、前記後方粘着層に当接する第１部分と、それに続いてそれと重なる第２部分とからなり、前記第１部分の前記長さ方向の寸法が前記第２部分のそれよりも大きい請求項３記載の個包装体。
【請求項５】
二つ折りの前記後方保護シートが、前記後方粘着層に当接する第１部分と、それに続いてそれと重なる第２部分とからなり、前記第１部分の前記長さ方向の寸法が前記第２部分のそれよりも小さい請求項３記載の個包装体。
【請求項６】
前記後方保護シートの前記長さ方向の中心より前方に、舌片が固着している請求項１〜５のいずれかに記載の個包装体。
【請求項７】
前記後方保護シートが、複数枚のシートから構成されている請求項１〜６のいずれかに記載の個包装体。
【請求項８】
前記本体が、前記幅方向の両側から延出する一対の翼部を備えており、
前記翼部が、前記ショーツ当接面側に、翼部粘着層を備えており、
前記外装材の前記長さ方向の中心より後方に、翼部保護シートが固着しており、
前記本体が前記肌当接面を内側にして前記長さ方向に折り曲がって、前記翼部保護シートが前記翼部粘着層に当接している請求項１〜７のいずれかに記載の個包装体。
【発明の詳細な説明】
【技術分野】
【０００１】
この発明は、生理用ナプキンの個包装体に関し、さらに詳しくは、ナプキンの取り出し易さと着用ショーツに対するナプキンの取り付け易さとを兼ね備えた生理用ナプキンの個包装体に関する。
【背景技術】
【０００２】
ショーツ当接面にずれ止め用の粘着層が設けられている従来の生理用ナプキンの多くは、それが、左右両側に張出した翼部を備えていても（特許文献１参照）、備えていなくても（特許文献２参照）、包装シートによって個別に包装された状態にあっては、粘着層が、包装シートに固定された剥離紙によって覆われている。このような構造の生理用ナプキンの個包装体では、生理用ナプキンを取り出すのと同時に、剥離紙が粘着層から剥がれるから、剥離紙を剥がす手間が省けて、生理用ナプキンの取り出しが容易である。
【特許文献１】特開２０００−８３９９１号公報
【特許文献２】特許第３１６７５６９号
【発明の開示】
【発明が解決しようとする課題】
【０００３】
しかしながら、特にサイズの大きいナプキンにあっては、上述のように、ナプキンを取り出した直後に全粘着層が露出していると、ナプキンの前方部分を着用ショーツに取り付けている間に、ナプキンの後方部分に位置する粘着層どうしが接着するなど、ナプキンを着用ショーツに取り付け難くなることがある。
【０００４】
この発明は、上述のような課題に鑑みてなされたものであり、ナプキンを取り出し易く、尚且つ着用ショーツに対してナプキンを取り付け易い生理用ナプキンの個包装体を提供することを目的とする。
【課題を解決するための手段】
【０００５】
上記課題を解決するためのこの発明に係る生理用ナプキンの個包装体は、長さ方向，幅方向，肌当接面およびショーツ当接面を有し、前記ショーツ当接面の側に粘着層を備える生理用ナプキン本体と、前記粘着層を覆う保護シートと、それらを包装する外装材とが一体に折り畳まれて構成されており、前記粘着層が、前記長さ方向の前側に位置する前方粘着層と、前記前方粘着層とは離間して前記長さ方向の後側に位置する後方粘着層とを含み、前記保護シートが、前記前方粘着層を覆う前方保護シートと、これとは別体であって前記後方粘着層を覆う後方保護シートとを含み、前記前方保護シートが前記外装材に固着している一方、前記後方保護シートは前記外装材に固着していないことを特徴とする。
【０００６】
このような構造の包装体では、開封して生理用ナプキン本体を取り出したとき、外装材とともに前方保護シートが剥がれ、前方粘着層が露出する。この状態において、前方粘着層を介してナプキン本体の前方部分を着用ショーツに取り付けることができる。一方、外装材に固着していない後方保護シートは、後方粘着層を覆ったままであるから、ナプキン本体の前方部分を着用ショーツに取り付けている間に、後方粘着層どうしが接着したり、ナプキンの後方部分が後方粘着層を介して着用ショーツの不適当な位置に接着したりすることがない。前方部分を着用ショーツに取り付けた後、後方保護シートを剥がせば、後方粘着層を介してナプキン本体の後方部分を着用ショーツの適当な位置に貼付することができる。
【０００７】
この発明において、「長さ方向」とは、生理用ナプキンが使用者によって着用されたときに体の前後方向と一致する方向である。「幅方向」とは、長手方向と直交する方向である。
【０００８】
外装材に固着していない後方保護シートは、１枚でもよいが、長さ方向に特に長い生理用ナプキン、または後方部分が幅広な生理用ナプキンの場合には、後方保護シートが、長さ方向および／または幅方向に並ぶ複数枚のシートから構成されていると好ましい。それによって、ナプキンの後方部分を着用ショーツに対して段階的に取り付けることができる。後方部分が幅広な生理用ナプキンの場合には、特に、後方保護シートが、幅方向に並ぶ二枚のシートから構成されているとより好ましい。
【０００９】
後方保護シートは、二つに折られたシートでもよい。その場合には、後方保護シートが、稜角を長手方向の前方に向けた状態で後方粘着層に当接していると好ましい。それによって、ナプキンの前方部分を着用ショーツに取り付けた後、ナプキンの後方から後方保護シートを剥がすことが容易になる。
【００１０】
上述の二つ折りの後方保護シートは、後方粘着層に当接する第１部分と、それに続いてそれと重なる第２部分とからなる。それら第１部分と第２部分とで、長さ方向の寸法が同じでもよいが、長さ方向の寸法が異なり、どちらか一方の後方端が後方に突き出ていると、それを摘んで後方に引き剥がし易くなり、好ましい。第１部分の長さ方向の寸法が第２部分のそれよりも大きい場合には、後方保護シートの第１部分を摘んで後方に引張ると、後方粘着層と後方保護シートとの接着面にせん断力が働いて、後方保護シートを容易に剥がすことができる。第１部分の長さ方向の寸法が第２部分のそれよりも小さい場合には、後方保護シートの第１部分を摘んで後方に引張ると、後方粘着層と後方保護シートとの接着面に剥離力が働いて、後方保護シートをさらに容易に剥がすことができる。
【００１１】
後方保護シートの長さ方向の中心より前方に、舌片が固着していてもよい。舌片を摘んで後方に引張ると、後方粘着層と後方保護シートとの接着面に剥離力が働き、後方保護シートを容易に剥がすことができる。
【００１２】
生理用ナプキン本体が、幅方向の両側から延出する一対の翼部を備えている場合には、翼部が、ショーツ当接面側に翼部粘着層を備えており、外装材の長さ方向の中心より後方に、翼部保護シートが固着しており、本体が肌当接面を内側にして長さ方向に折り曲がって、翼部保護シートが翼部粘着層に当接していることが好ましい。それによって、この個包装体を開封してナプキン本体を取り出したときに、前方粘着層および翼部粘着層は露出するが、後方粘着層だけは後方保護シートによって覆われたままの状態になる。
【発明の効果】
【００１３】
この発明に係る生理用ナプキンの個包装体によれば、後方粘着層以外の粘着層は、保護シートを剥がす手間を必要とせず、開封と同時に露出するから、ナプキンの取り出しが容易である。また、ナプキンの前方部分を着用ショーツに取り付けている間、後方粘着層は保護シートに覆われたままの状態にあるから、後方粘着層どうしが接着したり、ナプキンの後方部分が後方粘着層を介して着用ショーツの不適当な位置に接着したりすることがなく、ナプキンの取り付けが容易である。
【発明を実施するための最良の形態】
【００１４】
この発明に係る生理用ナプキンの個包装体の好ましい実施形態を、図面を参照しながら以下に説明する。ただし、この発明は、実施形態に限定されるものではない。
【００１５】
（第１実施形態）
図１〜４に示されているこの発明の第１実施形態に係る生理用ナプキン本体２１は、長さ方向，幅方向，表面シートで形成された肌当接面２２および裏面シートで形成されたショーツ当接面２３を有する。この生理用ナプキンは、生理中の女性が就寝時などに着用するのに適した縦長のものであり、本体２１の長さ方向の全長がおよそ２００〜５００ｍｍである。本体２１は、扁平で幅方向の両側部がくびれており、その平面形状は、本体２１の幅方向の中心を通る縦中心線Ｌ−Ｌに関して対称なほぼ瓢箪形である。表面シートと裏面シートとの間には、吸液性コア２４が介在している。表面シートと裏面シートとは、吸液性コア２４の外側の周縁に沿って接合している。
本体２１の長さ方向は、生理用ナプキンが使用されたときに着用者の体の前後方向と一致する方向である。図１では、本体２１の後端２１ｂが上側にある。
【００１６】
本体２１の肌当接面２２側には、長さ方向に延びる一対の側方条溝２５と、本体２１の前側に位置して一対の側方条溝２５の間を前方に膨らむように湾曲しながら幅方向に延びる前方条溝２６と、本体２１の後側に位置して一対の側方条溝２５間を後方に膨らむように湾曲しながら幅方向に延びる後方条溝２７とが形成されている。
図１の線Ｔ−Ｔは、本体２１の長さ方向の中心を通る横中心線である。線Ａ−Ａは、前方条溝２６の最前端を通って幅方向に延びる線である。線Ｂ−Ｂは、線Ｔ−Ｔと線Ａ−Ａとの間の中心を通って幅方向に延びる線である。
【００１７】
図２に示されているように、本体２１は、ショーツ当接面２３の側に粘着層３０を備えている。粘着層３０は、長さ方向の前側に位置する前方粘着層３１と、長さ方向の後側に位置する後方粘着層３２とを含む。
前方粘着層３１は、幅方向において離間する二条の前方粘着域３３からなる。前方粘着域３３は、本体２１の最もくびれた部分の前後に延びている。
後方粘着層３２は、幅方向において離間する二条の後方粘着域３４からなる。後方粘着域３４は、前方粘着域３３よりも長さ方向において短く、前方粘着域３３と長さ方向において離間している。
【００１８】
一つの生理用ナプキンが外装材６０によって包装された個包装体２０では、保護シート４０が粘着層３０を覆っている。保護シート４０は、前方保護シート４１と、これとは別体の後方保護シート４２とを含む。前方保護シート４１が前方粘着層３１を覆い、後方保護シート４２が後方粘着層３２を覆う。ただし、図２においては、後方保護シート４２のみが本体２１の後方粘着層３２に貼り付いている。
【００１９】
前方保護シート４１は、前方粘着層３１全体を覆うことがき、尚且つ生理用ナプキン本体２１に貼付したときに本体２１の周縁の内側におさまる大きさであり、外装材６０の前方部分に固着している。
後方保護シート４２は、後方粘着層３２全体を覆うことができる大きさで、それを摘み易いように、後方粘着層３２の後端および本体２１の後端２１ｂよりも後方に突き出るように後方粘着層３２に貼り付いている。後方保護シート４２は、外装材６０に固着していない。
【００２０】
第１実施形態に係る生理用ナプキンの個包装体２０は、図３および４に示されているように、本体２１と、保護シート４０と、それらを包装する外装材６０とを一体に折り畳むことにより構成される。
本体２１の後方粘着層３２を後方保護シート４２で覆う。外装材６０の幅方向中央の前端６０ａに接着用テープ６１を取り付け、外装材６０の前方部分に前方保護シート４１を固着する。次に、図３に示されているように、前方粘着層３１が前方保護シート４１の上に重なるように、本体２１を外装材６０の上に載せる。その後、重ね合わせた本体２１および外装材６０を、図４に示されているように、肌当接面２２が内側となるように、本体２１の後端２１ｂ側に位置する第１折り曲げ線５１に沿って折り曲げ、続いて、本体２１の長さ方向のほぼ中央に位置する第２折り曲げ線５２に沿ってさらに折り曲げ、最後に、本体２１の前端２１ａ側に位置する第３折り曲げ線５３に沿って外装材６０の前端６０ａが上になるように折り曲げる。折り重なった外装材６０の両側縁部６０ｃ，６０ｄをシールし、接着用テープ６１で外装材６０の前端６０ａを固定する。
重なり合った本体２１，保護シート４０，および外装材６０は、図示のものとは異なり、三つに折り畳まれていてもよい。
【００２１】
生理用ナプキンの個包装体２０から生理用ナプキン本体２１を取り出すと、外装材６０とともに前方保護シート４１が剥がれ、前方粘着層３１が露出する。一方、後方粘着層３２は、後方保護シート４２に覆われたままである（図２を参照）。この状態で、図５に示されているように、ナプキン本体２１の前方部分を前方粘着層３１を介して着用ショーツ１００に取り付ければ、その間に、後方粘着層３２どうしが接着したり、ナプキン本体２１の後方部分が後方粘着層３２を介して着用ショーツ１００の不適当な位置に接着したりすることがない。前方部分を着用ショーツに取り付け、ショーツを着用した後、後方保護シート４２を摘んで後方に引張れば、後方保護シート４２が剥がれて後方粘着層３２が露出する。このようにして露出させた後方粘着層３２を介してナプキン本体２１の後方部分を着用ショーツ１００の適当な位置に貼付することができる。
【００２２】
前方粘着域３３の、本体２１の長さ方向における最前端から最後端までは、１０〜４００ｍｍであると好ましく、５０〜３００ｍｍであるとより好ましい。前方粘着域３３の、本体２１の幅方向における最外側どうしの間は、１〜１００ｍｍであると好ましく、５〜４０ｍｍであるとより好ましい。前方保護シート４１の、本体２１の長さ方向における寸法は、３０〜４２０ｍｍであると好ましく、７０〜３２０ｍｍであるとより好ましい。前方保護シート４１の、本体２１の幅方向における最外側どうしの間は、５〜２５０ｍｍであると好ましく、１０〜２００ｍｍであるとより好ましい。
後方粘着域３４の、本体２１の長さ方向における最前端から最後端までは、１０〜３５０ｍｍであると好ましく、４０〜２３０ｍｍであるとより好ましい。後方粘着域３４の、幅方向における最外側どうしの間は、１〜２００ｍｍであると好ましく、５〜１００ｍｍであるとより好ましい。後方粘着域３４は、その最前端が、図１の線Ｂ−Ｂから好ましくは５０ｍｍ以上、より好ましくは８０ｍｍ以上本体２１の後端２１ｂ寄りに位置している。後方粘着域３４の最前端がそれより前方に位置していると、それを覆う後方保護シート４２も前方に位置することになり、着用者がショーツを着用した後に、後方保護シート４２を後方に引張って剥がし難くなる。
前方粘着域３３と後方粘着域３４とは、長さ方向において連続していてもよい。
図示されているように、本体２１が瓢箪形である場合には、線Ｂ−Ｂが本体２１の最もくびれた部分を通ることが好ましい。
【００２３】
後方保護シート４２の、本体２１の長さ方向における寸法は、３０〜４００ｍｍであると好ましく、８０〜３００ｍｍであるとより好ましい。後方保護シート４１の、本体２１の幅方向における最外側どうしの間は、５〜４００ｍｍであると好ましく、１０〜２５０ｍｍであるとより好ましい。
前方保護シート４１と後方保護シート４２とは、切り離し可能につながっていてもよい。そのような前方保護シート４１および後方保護シート４２は、一枚のシート片にミシン線などを設けて引き裂き易くすることにより得られる（図示せず）。
【００２４】
後方保護シート４２は、図６に示されているように、幅方向に並ぶ二枚のシートから構成されてもよい。後方保護シート４２の各々は、後方粘着層３２の後方粘着域３４の各々を覆っている。どちらの後方保護シート４２も、外装材６０には固着していない。各後方保護シート４２は、一つの後方粘着域３４全体を覆うことができる大きさで、後方粘着域３４の後端および本体２１の後端２１ｂよりも後方に突き出るように後方粘着域３４に貼り付いている。二枚の後方保護シート４２は、互いに重なり合っていてもよいが、重なり合うことなく各後方粘着域３４を覆っていることが好ましい。また、二枚の後方保護シート４２は、幅方向に並んで隣接する縁どうしが接触していてもよいし、幅方向において離間していてもよい。二枚の後方保護シート４２で後方粘着層３２が覆われている場合にも、生理用ナプキン本体２１は、前方保護シート４１を固着した外装材６０で包装する。
後方保護シート４２が幅方向に並ぶ二枚のシートから構成されている場合には、後方保護シート４２を一枚ずつ剥がすことによって、後方粘着層３２どうしが接着することをより効果的に防止できる。
【００２５】
生理用ナプキン包装体２０において、生理用ナプキン本体２１は、図７に示されているように、幅方向の両側から延出する一対の翼部２８を備え、後方部分が特に幅広なものでもよい。
図７に示されている本体２１の肌当接面２２側には、長さ方向に延びる一対の側方条溝２５と、一対の側方条溝２５の前端どうしの間を前方に膨らむように湾曲しながら幅方向に延びる前方条溝２６と、一対の側方条溝２５の後端どうしの間を後方に膨らむように湾曲しながら幅方向に延びる後方条溝２７が形成されている。
図７の線Ｃ−Ｃは、前方条溝２６の最前端を通って幅方向に延びる線である。線Ｄ−Ｄは、線Ｔ−Ｔと線Ｃ−Ｃとの間の中心を通って幅方向に延びる線である。
【００２６】
図８に示されているように、各翼部２８のショーツ当接面２３側には、翼部粘着層３８が形成されている。翼部粘着層３８と前方粘着層３１とは、本体２１のおよそ前半分に位置し、翼部２８の長さ方向の中心の前後に延びている。
本体２１のおよそ後半分には、後方粘着層３２が位置している。後方粘着層３２は、本体２１の長さ方向の中心線Ｌ−Ｌ近傍で幅方向において離間する二条の後方粘着域３４と、それら後方粘着域３４の両側で長さ方向に離間する二対の補助後方粘着域３５とを含む。後方粘着層３２は、その最前端が、図７の線Ｄ−Ｄから好ましくは５０ｍｍ以上、より好ましくは８０ｍｍ以上本体２１の後端２１ｂ寄りに位置している。
【００２７】
この生理用ナプキン本体２１に対しては、前方粘着層３１と翼部粘着層３８とを覆うことができる大きさの前方保護シート４１と、補助後方粘着域３５を含む後方粘着層３２全体を覆うことができる大きさの後方保護シート４２とを用いる。後方保護シート４２は、好ましくは、図７に示されているように、それを剥がすときに摘み易いように、後方粘着層３２に貼付したときに本体２１の周縁より外側にはみ出すくらいの大きさである。
前方保護シート４１は外装材６０の前方部分に固着しているが（図示せず）、後方保護シート４２は外装材６０に固着していない。
【００２８】
後方保護シート４２は、図９に示されているように、幅方向に並ぶ二枚のシートから構成されてもよい。後方保護シート４２の各々は、本体２１の長さ方向の中心線Ｌ−Ｌの両側で、それぞれ、一つの後方粘着域３４と本体２１の長さ方向に離間する一対の補助後方粘着域３５とを覆い、後方粘着域３４の後端よりも後方に突き出るように後方粘着層３２に貼り付いていると好ましく、本体２１の後端２１ｂよりも後方に突き出るように後方粘着層３２に貼り付いているとより好ましい。図示の二枚の後方保護シート４２は、幅方向において離間しているが、シート４２どうしは、互いに重なりあっていてもよく、また、それらシートの隣接する縁どうしが接触していてもよい。
図示のものとは異なり、補助後方粘着域３５の後端が、後方粘着域３４の後端よりも後方に位置していてもよく、その場合には、後方保護シート４２が、補助後方粘着域３５の後端よりも後方に突き出るように後方粘着層３２に貼り付いているとより好ましい。
【００２９】
図７〜９に示されている後方部分が特に幅広な生理用ナプキン本体２１においては、後方粘着層３２の、長さ方向における最前端から最後端までは、１０〜３５０ｍｍであると好ましく、４０〜２３０ｍｍであるとより好ましい。後方粘着層３２の、幅方向における最外側どうしの間は、１〜２００ｍｍであると好ましく、５〜１００ｍｍであるとより好ましい。そのような後方粘着層３２を覆う後方保護シート４２は、長さ方向の寸法が、好ましくは３０〜４００ｍｍ、より好ましくは８０〜３００ｍｍであり、幅方向の寸法が、好ましくは５〜４００ｍｍであり、より好ましくは１０〜２５０ｍｍである。
図示されているように、本体２１が一対の翼部２８を備えている場合には、線Ｄ−Ｄが、翼部２８の長さ方向のほぼ中心を通ることが好ましい。
【００３０】
（第２実施形態）
図１０に示す第２実施形態に係る生理用ナプキンの個包装体２０においては、第１実施形態に係るそれと同じ主要な部材，部位にはそれぞれ同じ符号を付して、その説明を省略してある。
この第２実施形態に係る生理用ナプキンの個包装体２０が第１実施形態に係るそれと異なる主な点は、後方保護シート４２が二つ折りのシートである点である。
【００３１】
この生理用ナプキン個包装体２０においては、図７に示されているのと同様の、幅方向の両側から延出する一対の翼部２８を備え、後方部分が特に幅広な形状の生理用ナプキン本体２１を用いている。図１０に示されているように、本体２１における各翼部２８のショーツ当接面２３側には、翼部粘着層３８が形成されている。
【００３２】
翼部粘着層３８と前方粘着層３１とは、本体２１のおよそ前半分に位置している。
本体２１のおよそ後半分には、後方粘着層３２が位置している。後方粘着層３２は、本体２１の長さ方向の中心線Ｌ−Ｌ近傍で幅方向において離間する二条の後方粘着域３４と、それら後方粘着域３４の両側で長さ方向に離間する二対の補助後方粘着域３５とを含む。
【００３３】
前方保護シート４１は、前方粘着層３１および翼部粘着層３８を覆うことができる大きさであり、外装材６０の前方部分に固着している（図示せず）。
後方保護シート４２は、二つに折られたシートであり、後方粘着層３２に当接する第１部分４２ａと、それに続いてそれと重なる第２部分４２ｂとからなり、稜角４２ｃを本体２１の長手方向の前方に向けた状態で、その最前端が後方粘着層３２の最前端よりも前方に位置するように、後方粘着層３２に貼り付いている。後方保護シート４２は、外装材６０に固着していない。
本体２１の長さ方向における第１部分４２ａの寸法が、第２部分４２ｂのそれよりも小さく、第２部分４２ｂが、後方粘着層３２の後端および本体２１の後端２１ｂよりも後方に突き出るように、後方保護シート４２が後方粘着層３２に貼り付いていることが好ましい。
【００３４】
この二つ折りの後方保護シート４２で後方粘着層３２が覆われた生理用ナプキン本体２１と、前方部分に前方保護シート４１が固着した外装材６０とを、図３および４に示されているように重ね合わせて一体に折り畳んで、生理用ナプキンの個包装体２０を得る。
【００３５】
この第２実施形態に係る生理用ナプキンの個包装体２０においては、後方保護シート４２が、二つに折られたシートであって、その第２部分４２ｂが、摘み易いように後方粘着層３２の後端および本体２１の後端２１ｂよりも後方に突き出ていることにより、後方保護シート４２の第２部分４２ｂを摘んで後方に引張り、後方保護シート４２と後方粘着層３２との接着面に剥離力が働かせることができる。それによって、本体２１の前方部分が既に着用ショーツに取り付けられている状態であっても、後方保護シート４２を後方粘着層３２から容易に剥がすことができる。
【００３６】
本体２１の長さ方向における第１部分４２ａの寸法が、第２部分４２ｂのそれよりも大きく、第１部分４２ａが、後方粘着層３２の後端および本体２１の後端２１ｂよりも後方に突き出るように、後方保護シート４２が後方粘着層３２に貼り付いていてもよい。その場合、第１部分４２ａを摘んで後方に引張ると、後方保護シート４２と後方粘着層３２との接着面にせん断力が働いて、後方保護シート４２を後方粘着層３２から容易に剥がすことができる。この第２実施形態において、前方粘着層３１が本体２１の長さ方向の中心を越えて後方に延びていてもよく、翼部２８が、本体２１の長さ方向の中心よりも後方に位置していてもよい。前方保護シート４１は、少なくとも前方粘着層３１を覆っていればよく、翼部粘着層３８の一部または全体を、前方保護シート４１とは別の保護シートが覆っていてもよい。
【００３７】
（第３実施形態）
図１１〜１５に示す第３実施形態に係る生理用ナプキンの個包装体２０においては、第１実施形態に係るそれと同じ主要な部材，部位にはそれぞれ同じ符号を付して、その説明を省略してある。
この第３実施形態に係る生理用ナプキンの個包装体２０が、第１実施形態に係るそれと異なる主な点は、後方保護シート４２に舌片４５が固着している点、および外装材６０に翼部保護シート４８が固着している点である。
【００３８】
この生理用ナプキン個包装体２０においては、図７に示されているのと同様の、幅方向の両側から延出する一対の翼部２８を備え、後方部分が特に幅広な形状の生理用ナプキン本体２１を用いている。図１１に示されているように、本体２１における各翼部２８のショーツ当接面２３側には、翼部粘着層３８が形成されている。
翼部粘着層３８と前方粘着層３１とは、本体２１のおよそ前半分に位置し、翼部２８における長さ方向中心の前後に延びている。
本体２１のおよそ後半分には、後方粘着層３２が位置している。後方粘着層３２は、本体２１の長さ方向の中心線Ｌ−Ｌ近傍で幅方向において離間する二条の後方粘着域３４と、それら後方粘着域３４の両側で長さ方向に離間する二対の補助後方粘着域３５とを含む。
【００３９】
前方保護シート４１は、前方粘着層３１全体を覆うことがき、尚且つ生理用ナプキン本体２１に貼付したときに本体２１の周縁の内側に納まる大きさであり、図１２に示されているように外装材６０の前方部分に固着している。
後方保護シート４２は、後方粘着層３２全体を覆うことができる大きさである。後方保護シート４２の長さ方向の中心より前方、具体的には、後方保護シート４２の前端縁近傍で、尚且つ幅方向の中央付近の、後方粘着層３２に当接する面とは反対の面に、舌片４５が固着している。舌片４５は、基端部４５ａ近傍で一旦折れ曲がり、先端部４５ｂを本体２１の長さ方向の後方に向けた状態で後方保護シート４２に固着している。後方保護シート４２は、固着している舌片４５の基端部４５ａが、後方粘着層３２の最前端よりも前方に位置するように後方粘着層３２に貼り付いていることが好ましい。舌片４５の先端部４５ｂは、後方保護シート４２の後端縁や本体２１の後端２１ｂよりも後方に突き出ている。後方保護シート４２は、外装材６０に固着していない。
翼部保護シート４８は、一対の翼部２８が、本体２１の肌当接面２２側に重なるように折り曲がっている状態で、外装材６０に幅方向に離間している一対の翼部粘着層３８を覆うことができる大きさで、外装材６０の長さ方向の中心より後方、具体的には外装材６０の後端６０ｂに固着している。
【００４０】
第３実施形態に係る生理用ナプキンの個包装体２０は、図１２および１３に示されているように、本体２１と、保護シート４０と、それらを包装する外装材６０とを一体に折り畳むことにより構成される。
本体２１の後方粘着層３２を後方保護シート４２で覆う。外装材６０の前方部分に前方保護シート４１を固着し、外装材６０の後端６０ｂに翼部保護シート４８を固着する。前方粘着層３１が前方保護シート４１の上に重なるように、本体２１を外装材６０の上に載せ、翼部２８および本体２１の幅広な後方部分の両側を、本体２１の肌当接面２２側に折り曲げる。
【００４１】
その後、重ね合わせた本体２１および外装材６０を、図１３および１４に示されているように、肌当接面２２が内側となり、翼部保護シート３８が本体２１の翼部２８の上に重なるように、本体２１の後端２１ｂ側に位置する第１折り曲げ線５１に沿って折り曲げる。続いて、第１折り曲げ線５１よりも前方に位置する第２折り曲げ線５２に沿ってさらに折り曲げ、最後に、第２折り曲げ線５２よりもさらに前方に位置する第３折り曲げ線５３に沿って外装材６０の前端６０ａが上になるように折り曲げる。折り重なった外装材６０の両側縁部６０ｃ，６０ｄをシールし、接着用テープ６１で外装材６０の前端６０ａを固定する。
前方保護シート４１と後方保護シート４２とが、本体２１の長さ方向に離間しているか、重なり合わずに隣接している場合には、前方保護シート４１と後方保護シート４２との間に第２折り曲げ線が位置していることが好ましく、前方保護シート４１と後方保護シート４２とが、互いに重なり合っている場合には、それらシート４１，４２が重なり合っている部分かその近傍に第２折り曲げ線が位置していることが好ましい。
【００４２】
この第３実施形態に係る生理用ナプキンの個包装体２０においては、後方保護シート４２の長さ方向の中心より前方に舌片４５が固着しているから、図１５に示されているように、舌片４５を摘んで後方に引張れば、後方保護シート４２と後方粘着層３２との接着面に剥離力が働いて、後方保護シート４２を後方粘着層３２から容易に剥がすことができる。
【００４３】
舌片４５の基端部４５ａは、後方保護シート４２の、後方粘着層３２に当接する面に固着していてもよい（図示せず）。その場合、舌片４５は、後方保護シート４２の前端縁近傍において、後方保護シート４２の、後方粘着層３２に当接する面とは反対の面側に折れ曲がり、尚且つ、先端４５ｂが後方保護シート４２の後端縁や本体２１の後端２１ｂよりも後方に突き出ていることが好ましい。
【００４４】
生理用ナプキン本体２１の各構成部材には、通常公知のものを特に制限なく用いることができる。例えば、表面シートには、目付１５〜７０ｇ／ｍ２、密度０．０１〜０．０２５ｇ／ｃｍ３のエアースルー不織布や、目付２０〜４０ｇ／ｍ２の開孔フィルムを用いることができる。裏面シートには、目付１５〜４０ｇ／ｍ２の低密度ポリエチレン（ＬＤＰＥ）からなる不透液性フィルムを用いることができる。吸液性コアには、目付１２０〜１０００ｇ／ｍ２の粉砕パルプと目付０〜５０ｇ／ｍ２の吸収性ポリマーの混合物を用いることができる。
【００４５】
前方粘着層３１，後方粘着層３２および翼部粘着層３８は、裏面シートに公知の感圧性粘着剤を塗布することによって形成される。これらの粘着層を形成する粘着剤としては、この種の物品に通常用いられる公知の粘着剤を制限なく用いることができる。中でも、水添スチレン・ブタジエンゴムのブロックコポリマーからなり、粘着性付与剤として水添石油樹脂を含むホットメルト接着剤を、裏面シート上に、３０ｇ／ｍ２の割合で幅方向に１ｍｍずつ間隔をあけながら１ｍｍ幅で塗布し、それらの粘着層を形成することが好ましい。
【００４６】
保護シート４０としては、クラフト紙等の表面にシリコーン油等の離型剤を塗布した、この種の物品に通常使用される公知の離型紙を使用することができる。但し、保護シート４０は、ＪＩＳ  Ｐ８１１３に準拠した方法により測定した引張強さが、縦方向において３ｋＮ／ｍ以上であり、横方向において２ｋＮ／ｍ以上であることが好ましい。また、上述の感圧性粘着剤によって形成された粘着層３０に保護シート４０を貼付したとき、以下の試験方法により測定した剥離強度が、０．１〜０．２Ｎであることが好ましい。
【００４７】
＜保護シートの剥離試験＞
表面にシリコーン油を塗布したクラフト紙である幅４０ｍｍ×長さ８０ｍｍの保護シートに、粘着性付与剤として水添石油樹脂を含む水添スチレン・ブタジエンゴムのブロックコポリマーからなるホットメルト接着剤（タック力が３．２〜３．６Ｎ）を３０ｇ／ｍ２割合で幅３０ｍｍ×長さ５０ｍｍの範囲に塗布し、幅４０ｍｍ×長さ８０ｍｍのポリエチレン製裏面シートを貼った試験サンプルを準備した。この裏面シートの坪量は、２３．５ｇ／ｍ２であり、ＪＩＳ  Ｋ７１２７に準拠した方法により測定した引張強度が、縦方向においては１２．０〜２０．０Ｎ／２５ｍｍであり、横方向においては８．０〜１６．０Ｎ／２５ｍｍであった。
上記試験サンプルの上で、重量２ｋｇ、４５ｍｍ幅のゴムローラを３００ｍｍ／ｍｉｎの速度で往復させた。
インストロンジャパンカンパニイリミテッド製のインストロン  シリーズＩＸ試験機を用いて、ゴムローラ処理後の試験サンプルの保護シートを１８０°の角度で引張り、剥離したときの最大荷重を測定した。測定は、チャック間距離３０ｍｍ、引張速度５００ｍｍ／ｍｉｎの条件で行った。
【００４８】
舌片４５，外装材６０，および外装材６０を固定するための接着用テープ６１の材料には、通常公知のものを特に制限なく用いることができる。例えば、舌片４５には、ポリプロピレンフィルムを使用することができる。外装材６０には、ポリプロピレン繊維製のスパンボンド／メルトブローン／スパンボンド複合不織布を使用することが出来る。接着用テープ６１には、ポリプロピレンフィルムを基材として、その表面に上述の裏面シートに塗布される粘着剤と同様の公知の感圧性粘着剤が塗布されたものを使用することができる。
【００４９】
本体２１の各構成部材の接合や重なり合う外装材６０どうしの接合、および外装材６０に対する保護シート４０の固着は、ホットメルト接着剤による接着あるいは熱または超音波による溶着等、通常公知の接合方法の中から適宜の方法を選択して行う。
【図面の簡単な説明】
【００５０】
【図１】この発明の第１実施形態に係る生理用ナプキン本体を肌当接面側から示す図。
【図２】図１の生理用ナプキン本体をショーツ当接面側から示す図。
【図３】図１の生理用ナプキン本体と外装材とが重なり合った状態を示す図。
【図４】図３の生理用ナプキン本体と外装材とを一体に折り畳んだ生理用ナプキン包装体を示す図。
【図５】前方粘着層を介して着用ショーツに取り付けられた生理用ナプキン本体を示すＬ−Ｌ線端面図。
【図６】後方保護シートの変形例を示す図２相当図。
【図７】生理用ナプキン本体の変形例を示す図１相当図。
【図８】図７の生理用ナプキン本体をショーツ当接面側から示す図。
【図９】後方保護シートの変形例を示す図８相当図。
【図１０】この発明の第２実施形態に係る生理用ナプキン本体を示す図２相当図。
【図１１】この発明の第３実施形態に係る生理用ナプキン本体を示す図２相当図。
【図１２】図１１の生理用ナプキン本体と外装材とが重なり合った状態を示す図３相当図。
【図１３】図１２の生理用ナプキン本体と外装材とを一体に折り畳んだ生理用ナプキン包装体を示す図。
【図１４】重なり合った生理用ナプキン本体と外装材とが第１折り曲げ線に沿って折れ曲がった状態にある図１３の生理用ナプキン包装体の１４−１４線端面図。
【図１５】前方粘着層を介して着用ショーツに取り付けられた生理用ナプキン本体を示すＬ−Ｌ線端面図。
【符号の説明】
【００５１】
２０  生理用ナプキンの個包装体
２１  生理用ナプキン本体
２２  肌当接面
２３  ショーツ当接面
３０  粘着層
３１  前方粘着層
３２  後方粘着層
３３  前方粘着域
３４  後方粘着域
４０  保護シート
４１  前方保護シート
４２  後方保護シート
６０  外装材
【図１】
0004801400.tif 000002
【図２】
0004801400.tif 000003
【図３】
0004801400.tif 000004
【図４】
0004801400.tif 000005
【図５】
0004801400.tif 000006
【図６】
0004801400.tif 000007
【図７】
0004801400.tif 000008
【図８】
0004801400.tif 000009
【図９】
0004801400.tif 000010
【図１０】
0004801400.tif 000011
【図１１】
0004801400.tif 000012
【図１２】
0004801400.tif 000013
【図１３】
0004801400.tif 000014
【図１４】
0004801400.tif 000015
【図１５】
0004801400.tif 000016